(57)【要約】【課題】自動繰出機構を有するシャープペンシルにおいて、本体の先端に設けた口金を取り外さなくなくても簡単に芯を補給できるようにしたカートリッジ型のシャープペンシルを提供する。【解決手段】カートリッジ型で筒状の本体２の先部に自動繰出機構を設ける。この本体の後部に着脱可能に尾栓１５を取付ける。尾栓１５には、上記本体２に挿入可能な押圧軸１８が形成され、この押圧軸１８の先端には、芯４が入り込む凹部１９が形成されている。芯４を補給するには、尾栓１５を外し、芯４を本体２に入れてから、該尾栓１５を本体２の後部に嵌め込む。このとき、芯４は、後端は凹部１９に入り込んだ状態で上記押圧軸１８に押されて、自動繰出機構内に入り、本体の先端から突出する。【選択図】図４
0003162327.tif 000002
【実用新案登録請求の範囲】
【請求項１】
筆記にともなって芯を自動的に繰り出すようにした自動繰出機構を筒状の本体の先部に設け、該本体の後端に尾栓を着脱可能に嵌着し、該尾栓に、上記本体内に挿入可能に形成され先端に芯の後端が入り込む凹部を有する押圧軸を設けたシャープペンシル。  
【請求項２】
上記尾栓の押圧軸の凹部と自動繰出機構の先端間の間隔は、尾栓を本体に嵌着した状態で、芯の長さに等しくなるよう形成されている請求項１に記載のシャープペンシル。
【請求項３】
上記凹部は円錐状に形成されている請求項１又は２に記載のシャープペンシル。
【請求項４】
上記本体はカートリッジ型に形成されている請求項１から３のいずれかに記載のシャープペンシル。
【請求項５】
上記カートリッジ型シャープペンシルはノック式の送出機構を後部に有する軸筒内に収納され、前方に設けたばねで上記送出機構に向けて付勢され、該送出機構とカートリッジ型シャープペンシルの尾栓の間には上記ばねよりも弱い衝撃吸収ばねが設けられている請求項４に記載のシャープペンシル。
【考案の詳細な説明】
【技術分野】
【０００１】
本考案は、筆記に伴って芯が自動的に繰り出されるようにしたシャープペンシルに関するものである。
【背景技術】
【０００２】
芯を自動的に繰り出すようにした自動繰出式シャープペンシルが知られている（例えば特許文献１参照）。これらのシャープペンシルは、通常鉛筆型に形成され、口金（テーパー）を軸筒から取り外し可能に設け、この口金内に芯を自動的に送るための自動繰出機構が組み込まれている。そして、芯を補充する場合には、軸筒から口金を外し、該口金の後端から手で芯を自動繰出機構部の後端内に差込み、口金先端から芯が出るまで押し込んでいるが、この際芯が出すぎないように注意しながら押し込む必要があった。このように、芯を１本ずつ手で持って自動繰出機構部に送り込む構成のため、芯を何回もつかみ直したり、口金の先端から出すぎた場合には、芯を手で折って長さを調整したりしなければならなかった。
【０００３】
また、上記のように口金を取り外さなければならない構成のため、全体の形状を、ボールペンのカートリッジ型リフィールのように口金に相当する先端部分を取り外しできないカートリッジ型に形成できず、そのためカートリッジ型のリフィールを使用するノック式の筆記具に使用することがむずかしかった。
【先行技術文献】
【特許文献】
【０００４】
【特許文献１】実公平０４−４４３８９号公報（４欄９〜１２行、第１図）
【考案の概要】
【考案が解決しようとする課題】
【０００５】
本考案の解決課題は、筆記により芯が摩耗したとき芯を自動的に繰り出しできるようにしたシャープペンシルにおいて、軸筒から口金を外さなくても新しい芯を自動繰出機構部に供給でき、全体の形状をカートリッジ型に形成できるようにしたシャープペンシルを提供することである。
【課題を解決するための手段】
【０００６】
本考案によれば、筆記にともなって芯を自動的に繰り出すようにした自動繰出機構を筒状の本体の先部に設け、該本体の後端に尾栓を着脱可能に嵌着し、該尾栓に、上記本体内に挿入可能に形成され先端に芯の後端が入り込む凹部を有する押圧軸を設けたシャープペンシルが提供され、上記課題が解決される。
【０００７】
また、本発明の上記シャープペンシルにおいて、上記尾栓の押圧軸の凹部と自動繰出機構の先端間の間隔は、尾栓を本体に嵌着した状態で、芯の長さに等しくなるよう形成されている上記シャープペンシルが提供される。
【考案の効果】
【０００８】
本考案は、上記のように構成され、筆記にともなって芯を自動的に繰り出すようにした自動繰出機構を筒状の本体の先部に設け、該本体の後端に尾栓を着脱可能に嵌着し、該尾栓に、上記本体内に挿入可能に形成され先端に芯の後端が入り込む凹部を有する押圧軸を設けたので、新しい芯を自動繰出機構内に補給するのには、尾栓を取り外して本体内に芯を挿入し、その後、尾栓の押圧軸を本体内部に入れ、尾栓を該本体の後部に嵌め込めば、押圧軸の凹部に芯の後端が入り込み、該芯は押圧軸に押されて前進し、先端が自動繰出機構内に挿入され、該自動繰出機構の先部から突出させることができる。このようにして、芯を手で１本つかまないで補充することができる。芯を押圧軸で移動させる際、芯は後端が上記凹部に保持された状態で斜めになるおそれがなく、真っ直ぐな状態で押されるから、折損することもない。また、本体の後部に上記尾栓を設けるだけですむので、従来のように本体の前部に口金を着脱可能に形成する必要がなく、前部を密閉式に形成したカートリッジ型のリフィール構造に構成することができ、従来のノック機構を有する筆記具に使用すれば、ボールペンリフィールと同じようにカートリッジ型筆記具として使用することができる。
【図面の簡単な説明】
【０００９】
【図１】本考案のシャープペンシルの一実施例を示す半断面図。
【図２】芯を補充する場合の説明図。
【図３】芯が筆記具本体内に落下した状態の説明図。
【図４】尾栓を筆記具本体に取り付ける状態を示し、（Ａ）は押圧軸を本体内に挿入した状態、（Ｂ）は尾栓を本体に充分に嵌め込んだ状態の各説明図。
【図５】カートリッジ型シャープペンシルをノック機構を有する軸筒内に組み込んだ実施例を示す断面図。
【図６】他の実施例を示す一部の断面図。
【考案を実施するための形態】
【００１０】
図１は、本考案のカートリッジ型シャープペンシル１の一実施例を示し、筒状でカートリッジ型の本体２の先端には、テーパー部材３が設けられ、該テーパー部材３内には、芯４を前方に自動的に繰り出すようにした自動繰出機構が組み込まれている。自動繰出機構は種々に構成できるが、図に示す実施例の自動繰出機構は、上記特許文献１に記載の構成と実質的に同様の構成である。すなわち、テーパー部材３の先部には、スプリング５で前方（先端方向）に付勢されているスライダー６が、前後動可能に挿入され、該スライダーには芯４を弾性的に仮保持するブレーカーゴム等の弾性部材７が設けられている。このスライダー６の後端に対向してチャック部材８が前後動可能に設けられ、上記スプリング５により後方（後端方向）に付勢されている。
【００１１】
上記チャック部材８は、複数の独立した部片を組み合わせて構成され、後方から前方に拡径したクラッチリング９内に挿入され、該クラッチリング９とチャック部材８の間にはボール１０が介在されている。この構成により、芯４がスライダー６の弾性部材７に仮保持されてスプリング５の作用でスライダーとともに前進するときにはボールがクラッチリングの径大部に対応する位置にチャック部材８が微動して芯４の把持を緩め、芯の前進を許容するが、芯４が後退するときには、ボールが径小部に対応する位置にチャック部材８が戻って芯を把持し後退を阻止する。上記クラッチリング９の保持筒１１は、内面にチャック部材８の脱落を防止する突起１２を有しており、前部がテーパー部材３に装着され、後部には上記本体２が装着され、該保持筒１１を介して本体２とテーパー部材３は固定的に連結している。また、保持筒１１の後端と本体２の内面に形成した内方突起１３の間には、筒状のガイドパイプ１４が挟着され、芯４の挿入を案内している。
【００１２】
上記本体２の後部には、尾栓１５が着脱可能に嵌め込まれている。該尾栓１５は、上記本体２とほぼ同径の頭部１６とこの頭部から段部１７を介して前方に延び上記本体２内に挿入可能な押圧軸１８を有している。この押圧軸１８の先端には、芯４の後端が入り込む凹部１９が形成され、該凹部１９は芯４を本体２の中心部で保持できるよう略円錐状に形成されている。この押圧軸１８の凹部１９と、テーパー部材３に設けた自動繰出機構の先端、図１においては突出状態のスライダー５の先端との間の間隔は、尾栓１５を上記本体２に嵌着した状態で、芯４の長さにほぼ等しくなるよう形成されている。
【００１３】
上記構成により芯４を本体２内に補給するには、図２に示すように、先ず尾栓１５を本体２から外し、芯４を該本体２内に入れる。すると、図３に示すように、芯４は本体２内の途中まで落下し、先端が上記チャック部材８の後端に当ってとまる。
【００１４】
次に、図４に示すように上記尾栓１５の押圧軸１８を上記本体２内に差し込み、凹部１９に芯４の後端を入れ込む（同図Ａ）。この状態で芯４は直立状態に保持されるから、尾栓１５をさらに本体２内に押し込めば、芯４は押圧軸１８に押されてチャック部材８を前進させながらチャック部材内に入り込んでテーパー部材の先端に達して止まり、尾栓１５は段部１７が本体２の後端に当って止まる（同図Ｂ）。このようにして、芯を直接チャック部材内に差し込むというような面倒な手間をかけずに、芯４を補充することができる。
【００１５】
上記の構成により、本発明のシャープペンシルは、本体の前部を着脱可能に構成しなくてもすむから、全体をボールペンリフィールのような細身のカートリッジ型に形成することができる。したがって、図５に示すようなノック式の筆記具に使用することができる。この筆記具は、軸筒２０の先端に口金２１を有し、軸筒２０の外面にはグリップ２２が設けられ、後部にはノック式の送出機構が設けられている。この送出機構は、公知の機構であって、筒状部２３の内面に固定カムを有し軸筒２０の後端から挿入固定される固定カム筒２４と、該固定カム筒２４の内方に挿入されるノック軸２５と、該ノック軸２５のノック操作により上記固定カムの作用で回転し、かつ前後方向に移動する回転カム筒２６を具備している。
【００１６】
上記軸筒２０の内部には、上記カートリッジ型のシャープペンシル１が収納され、ばね２７で後方に付勢され、尾栓１５部分が上記回転カム筒２６の前端に当接している。上記ノック軸２５をノックすると、回転カム筒２６が前後動し、上記カートリッジ型シャープペンシル１の先端が口金２１の先部から突出したり、没入したりして公知のように使用することができる。なお、上記カートリッジ型シャープペンシルの尾栓１５と上記送出機構の回転カム筒２６の間に、上記ばね２７よりも弱く、筆記状態では尾栓１５が回転カム筒２６に接する程度に弱い衝撃吸収ばね２８を設けておけば（図６参照）、カートリッジ型シャープペンシルが受ける衝撃・振動を緩和して芯が自動的に繰り出されないようにできる。また、上記カートリッジ型シャープペンシルは、カートリッジ型以外の種々の形状に形成することもでき、鉛筆型に形成してもよい。
【符号の説明】
【００１７】
１    カートリッジ型シャープペンシル
２    本体
４    芯
１５  尾栓
１８  押圧軸
１９  凹所
【図１】
0003162327.tif 000003
【図２】
0003162327.tif 000004
【図３】
0003162327.tif 000005
【図４】
0003162327.tif 000006
【図５】
0003162327.tif 000007
【図６】
0003162327.tif 000008